(57)【要約】【課題】発信者が煩わしい操作を行うことなく、相手先電話番号の先頭に“０”を付加してダイヤル発信を行うことのできる電話装置およびダイヤル発信方法を提供すること。【解決手段】構内交換機１０に接続された電話機２０から、外線３０にダイヤル発信を行う際、制御部３０は構内交換機１０に送出される相手先電話番号の先頭に“０”を自動的に付加する。構内交換機１０は、相手先電話番号の先頭に“０”が付加されていることを認識すると、接続先を外線３０に切り換えて相手先電話番号を外線３０に送出する。【選択図】　　図１
2004128862.tif 000002
【特許請求の範囲】
【請求項１】
構内交換機に接続され、相手先電話番号を通信回線に送出してダイヤル発信を行う電話装置であって、
前記通信回線に送出される相手先電話番号に、前記構内交換機が外線へのダイヤル発信であることを認識するための所定情報を付加する番号付加手段を備えたことを特徴とする電話装置。
【請求項２】
外線を介して伝送された発信元電話番号を記憶する発信元電話番号記憶手段を備え、
前記番号付加手段は、前記発信元電話番号記憶手段に記憶された前記発信元電話番号に前記所定情報を付加して相手先電話番号とすることを特徴とする請求項１記載の電話装置。
【請求項３】
相手先電話番号が登録された電話帳記憶手段を備え、
前記番号付加手段は、前記電話帳記憶手段に登録された相手先電話番号に前記所定情報を付加することを特徴とする請求項１記載の電話装置。
【請求項４】
前記電話帳記憶手段に登録された電話番号が外線に送出される電話番号であるか否かを解析する解析手段を備え、
前記番号付加手段は、前記解析手段による解析の結果、外線に送出される相手先電話番号である場合は前記登録された相手先電話番号に前記所定情報を付加することを特徴とする請求項３記載の電話装置。
【請求項５】
前記所定情報は、前記構内交換機が外線へのダイヤル発信であることを認識するための、前記相手先電話番号の先頭に付加される数字「０」であることを特徴とする請求項１、２、３または４記載の電話装置。
【請求項６】
構内交換機に接続された電話装置から相手先電話番号を通信回線に送出してダイヤル発信を行うダイヤル発信方法であって、
前記電話装置が、前記通信回線に送出される相手先電話番号に、前記構内交換機が外線へのダイヤル発信であることを認識するための所定情報を付加することを特徴とするダイヤル発信方法。
【発明の詳細な説明】
【０００１】
【発明の属する技術分野】
本発明は、構内交換機に接続され、相手先電話番号を回線に送出してダイヤル発信を行う電話装置およびダイヤル発信方法に関する。
【０００２】
【従来の技術】
従来、構内交換機に接続されている電話装置から、構内交換機を介して外部の回線（外線）にダイヤル発信を行う場合、発信者は、構内交換機が外線へのダイヤル発信であることを認識するための、数字“０”を相手先電話番号の先頭に付加しなければならなかった。（例えば、特許文献１参照）
【０００３】
【特許文献１】
特開平６−１４３５６号公報
【０００４】
【発明が解決しようとする課題】
しかしながら、相手先電話番号の先頭に“０”を付加してダイヤル発信を行う操作は、発信者にとって煩わしかった。特に、外線を通じて送られてくる発信者電話番号情報を電話番号記憶部に蓄える機能を有する電話機の場合、電話番号記憶部に蓄えられた発信者電話番号情報を一旦読み出し、その電話番号の先頭に“０”を付加して電話帳に登録した後、この電話帳から読み出した相手先電話番号にダイヤル発信を行っていた。あるいは、発信者電話番号情報を読み出し、テンキーにより入力し直さなければならなかった。
【０００５】
本発明は、上記従来の事情に鑑みてなされたものであって、発信者が煩わしい操作を行うことなく、相手先電話番号の先頭に所定情報を付加してダイヤル発信することのできる電話装置およびダイヤル発信方法を提供することを目的としている。
【０００６】
【課題を解決するための手段】
上記目的を達成するために、本発明に係る電話装置は、構内交換機に接続され、相手先電話番号を通信回線に送出してダイヤル発信を行う電話装置であって、前記通信回線に送出される相手先電話番号に、前記構内交換機が外線へのダイヤル発信であることを認識するための所定情報を付加する番号付加手段を備えている。
【０００７】
したがって、発信者が煩わしい操作を行うことなく、相手先電話番号の先頭に所定情報を付加してダイヤル発信することができる。この結果、構内交換機に接続された電話装置から外線にダイヤル発信する際、相手先電話番号に所定情報を付加しなければならない場合であっても、発信者は、当該電話装置を外線に直接繋がっている電話装置のように扱うことができる。
【０００８】
また、本発明に係る電話装置は、外線を介して伝送された発信元電話番号を記憶する発信元電話番号記憶手段を備え、前記番号付加手段は、前記発信元電話番号記憶手段に記憶された前記発信元電話番号に前記所定情報を付加して相手先電話番号とする。
【０００９】
したがって、コールバック機能を使って外部の発信者との通話を開始することができる。
【００１０】
また、本発明に係る電話装置は、相手先電話番号が登録された電話帳記憶手段を備え、前記番号付加手段は、前記電話帳記憶手段に登録された相手先電話番号に前記所定情報を付加する。
【００１１】
また、本発明に係る電話装置は、前記電話帳記憶手段に登録された電話番号が外線に送出される電話番号であるか否かを解析する解析手段を備え、前記番号付加手段は、前記解析手段による解析の結果、外線に送出される相手先電話番号である場合は前記登録された相手先電話番号に前記所定情報を付加する。
【００１２】
したがって、電話帳記憶手段に登録された相手先電話番号であっても、発信者は煩わしい操作を行うことなくダイヤル発信することができる。
【００１３】
また、本発明に係る電話装置は、前記所定情報は、前記構内交換機が外線へのダイヤル発信であることを認識するための、前記相手先電話番号の先頭に付加される数字「０」であることが望ましい。
【００１４】
さらに、本発明に係るダイヤル発信方法は、構内交換機に接続された電話装置から相手先電話番号を通信回線に送出してダイヤル発信を行うダイヤル発信方法であって、前記電話装置が、前記通信回線に送出される相手先電話番号に、前記構内交換機が外線へのダイヤル発信であることを認識するための所定情報を付加する。
【００１５】
【発明の実施の形態】
本発明に係る電話装置およびダイヤル発信方法の実施の形態について図面を参照しながら説明する。
【００１６】
図１は、一実施形態における電話システムの構成を示すブロック図である。同図に示すように、本実施形態の電話システムでは、複数の電話機２０（特許請求の範囲の電話装置に該当する。）が構内交換機（ＰＢＸ：Ｐｒｉｖａｔｅ　Ｂｒａｎｃｈ　ｅＸｃｈａｎｇｅ）１０に接続されている。構内交換機１０は、各電話機２０を回線に接続する際、外部の回線（外線）３０と内部の回線（内線）４０とを切り換えるものである。各電話機２０から外線３０にダイヤル発信を行う場合、相手先電話番号の先頭に特許請求の範囲の所定情報に該当する“０”を付加する必要があり、構内交換機１０は、相手先電話番号の先頭に“０”が付加されていることを認識すると、ダイヤル発信を行った電話機２０を外線３０に接続する。
【００１７】
図２は、電話機２０の内部構成を示すブロック図である。同図に示すように、電話機２０は、発信元電話番号受信部１と、変復調部２と、特許請求の範囲の番号付加手段および解析手段に該当する制御部３と、発信元電話番号記憶手段に該当する受信電話番号記憶部４と、電話帳記憶手段に該当する電話帳メモリ５と、送信部６とを有する。
【００１８】
発信元電話番号受信部１は、外線３０から送られてきた発信元電話番号を受信するものである。また、変復調部２は、送受信される電話番号の変復調処理を行い、発信元電話番号を受信した際は、当該番号の信号を制御部３が処理可能な電話番号データに変換するものである。また、制御部３は、コールバック機能を実現する際、受信した発信元電話番号を一旦、受信電話番号記憶部４に蓄積した後、この受信電話番号記憶部４に蓄積された発信元電話番号を読み出し、あるいは電話帳メモリ５に予め登録された電話番号を読み出し、変復調部２を介して送信部６にセットするものである。
【００１９】
また、受信電話番号記憶部４は受信した発信元電話番号データを蓄積するものである。また、電話帳メモリ５には、予め複数の電話番号が登録される。また、送信部６は、制御部３から送出されてセットされた電話番号を、構内交換機１０に送出するものである。構内交換機１０は、前述したように、回線の切り換えを行い、送信部６から送られた電話番号を回線に送出する。
【００２０】
次に、上記構成を有する電話機２０のダイヤル発信動作（ダイヤル発信方法）について、図３を参照して説明する。図３は、コールバック機能を用いたダイヤル発信処理手順を示すフローチャートである。なお、当該フローチャート中の処理は、制御部３内のＣＰＵ（図示せず）がＲＯＭ（図示せず）に格納されたプログラムを実行することによって行われる。
【００２１】
図３に示すように、電話機２０はまず構内交換機１０を介して外線３０から送られてくる発信元電話番号を受信する（ステップＳ１）。次に、受信した発信元電話番号を受信電話番号記憶部４に一旦、蓄積する（ステップＳ２）。次に、受信電話番号記憶部４に蓄積された発信元電話番号に対し、コールバック機能が設定されているか否かを判別する（ステップＳ３）。なお、コールバック機能は、全電話番号に対して設定されていても良いし、予め登録された特定の電話番号に対してだけ設定されていても良い。
【００２２】
コールバック機能が設定されている場合、受信電話番号記憶部４に蓄積された発信元電話番号を読み出し（ステップＳ４）、この発信元電話番号の先頭に“０”を付加する（ステップＳ５）。そして、先頭に“０”が付加された発信元電話番号を送信部６にセットし、ダイヤル発信を行う（ステップＳ６）。構内交換機１０は、発信元電話番号の先頭に“０”が付加されていることを認識すると、接続先を外線３０に切り換え、送信部６からの発信元電話番号を外線３０に送出する。一方、ステップＳ３でコールバック機能が設定されていない場合、通常の着信処理を行う（ステップＳ７）。なお、制御部３によって実行されるステップＳ５の処理は、特許請求の範囲に記載の番号付加手段に相当する。
【００２３】
このようなダイヤル発信処理を行うことにより、電話機２０の受信者は、何ら特別な操作を行うことなく、コールバック機能を使って外部の発信者との通話を開始することができる。したがって、当該受信者が電話機２０を用いたダイヤル発信の際に煩わしさを感じることがない。
【００２４】
次に、電話機２０が行う電話帳機能を用いたダイヤル発信動作（ダイヤル発信方法）について、図４を参照して説明する。図４は、電話帳機能を用いたダイヤル発信処理手順を示すフローチャートである。なお、当該フローチャート中の処理は、前述した図３におけるフローチャートと同様、制御部３内のＣＰＵがＲＯＭに格納されたプログラムを実行することによって行われる。
【００２５】
まず、電話帳メモリ５から予め登録されている相手先電話番号を読み出す（ステップＳ１１）。次に、読み出した相手先電話番号を解析し（ステップＳ１２）、相手先電話番号の先頭が“０”であるか否かを判別する（ステップＳ１３）。なお、制御部３によって実行されるステップＳ１２の処理は、特許請求の範囲に記載の解析手段に相当する。
【００２６】
ステップＳ１３で電話番号の先頭が“０”である場合、外線３０への電話であるとみなし、読み出した電話番号の先頭に“０”を付加し（ステップＳ１４）、送信部６にセットしてダイヤル発信を行う（ステップＳ１５）。構内交換機１０は、相手先電話番号の先頭に“０”が付加されていることを認識すると、接続先を外線３０に切り換え、送信部６からの相手先電話番号を外線３０に送出する。
【００２７】
一方、ステップＳ１３で電話番号の先頭が“０”でない場合、電話番号の先頭に“０”を付加せず（ステップＳ１６）、そのまま送信部６にセットしてダイヤル発信を行う（ステップＳ１５）。構内交換機１０は、相手先電話番号の先頭に“０”が付加されていないことを認識すると、接続先を内線４０に切り換え、送信部６からの相手先電話番号を内線４０に送出する。ここで、制御部３によって実行されるステップＳ１４の処理は、特許請求の範囲に記載の番号付加手段に相当する。
【００２８】
このように、構内交換機１０に接続された電話機２０から外線へのダイヤル発信を行う際、発信者は、相手先電話番号の先頭に“０”を付加することを意識せずに、外部の相手先との通話を開始することができる。したがって、当該発信者が電話機２０を用いたダイヤル発信の際に煩わしさを感じることがない。
【００２９】
なお、上記説明では、電話番号の先頭に“０”を付加する、いわゆるゼロ発信の場合を示したが、仮に、構内交換機が相手先電話番号の先頭に付加される“０”以外の方法で、外線へのダイヤル発信を認識する場合、その認識に見合った位置に見合った数字や記号等を付加しても良い。
【００３０】
【発明の効果】
以上説明したように、本発明に係る電話装置およびダイヤル発信方法によれば、発信者が煩わしい操作を行うことなく、相手先電話番号の先頭に所定情報を付加してダイヤル発信することができる。この結果、構内交換機に接続された電話装置から外線にダイヤル発信する際、相手先電話番号に所定情報を付加しなければならない場合であっても、発信者は、当該電話装置を外線に直接繋がっている電話装置のように扱うことができる。
【図面の簡単な説明】
【図１】一実施形態における電話システムの構成を示すブロック図
【図２】電話機の内部構成を示すブロック図
【図３】コールバック機能を用いたダイヤル発信処理手順を示すフローチャート
【図４】電話帳機能を用いたダイヤル発信処理手順を示すフローチャート
【符号の説明】
１　受信部
３　制御部
４　受信電話番号記憶部
５　電話帳メモリ
６　送信部
１０　構内交換機
２０　電話機
３０　外線
４０　内線
【図１】
2004128862.tif 000003
【図２】
2004128862.tif 000004
【図３】
2004128862.tif 000005
【図４】
2004128862.tif 000006